(57)【特許請求の範囲】
【請求項１】
壁、床の内部に設置した可撓ガス管に、その延長上の適所に取り付けた送信装置のアンテナにより電磁波を放射して可撓ガス管内を伝播させると共に、壁、床に打たれた釘に受信装置のアンテナを向けて電磁波を探査し、可撓ガス管からの漏洩電磁波により損傷を検出することを特徴とする壁、床の工事における可撓ガス管の損傷検査方法
【請求項２】
壁、床の内部に設置した可撓ガス管に、その延長上の適所に取り付けた送信装置のアンテナにより電磁波を放射して可撓ガス管内を伝播させると共に、壁、床に打たれた釘に受信装置のプローブを接触させて電磁波を探査し、可撓ガス管からの漏洩電磁波により損傷を検出することを特徴とする壁、床の工事における可撓ガス管の損傷検査方法
【請求項３】
壁、床の内部に設置した可撓ガス管に、その延長上の適所に取り付けた送信装置のアンテナにより電磁波を放射して可撓ガス管内を伝播させると共に、壁、床に打たれた釘に受信装置のアンテナを向けて電磁波を探査し、受信装置により電磁波を検出した際、そのアンテナの指向方向の釘にプローブを接触させて電磁波を探査し、可撓ガス管からの漏洩電磁波により損傷を検出することを特徴とする壁、床の工事における可撓ガス管の損傷検査方法
【請求項４】
壁、床の内部に設置した可撓ガス管の延長上の適所に受信装置のアンテナを取り付けると共に、送信装置のアンテナを壁、床に打たれた釘に向けて電磁波を放射し、この際に可撓ガス管内を伝播する電磁波を受信装置により監視し、可撓ガス管内に外部から入射した電磁波により損傷を検出することを特徴とする壁、床の工事における可撓ガス管の損傷検査方法
【請求項５】
電磁波の周波数を経時的に変化させることを特徴とする請求項１〜４までのいずれか１項に記載の壁、床の工事における可撓ガス管の損傷検査方法
【請求項６】
送信装置により放射する電磁波を所望の信号で変調することを特徴とする請求項１〜４までのいずれか１項に記載の壁、床の工事における可撓ガス管の損傷検査方法
【請求項７】
送信装置による電磁波の放射をＯＮ−ＯＦＦさせると共に、受信装置による電磁波の検出をＯＮ時点とＯＦＦ時点の両方の時点で行い、ＯＦＦ時点の受信信号をＯＮ時点の受信信号と比較して、送信装置からの電磁波を識別することを特徴とする請求項１〜６までのいずれか１項に記載の壁、床の工事における可撓ガス管の損傷検査方法
【請求項８】
可撓ガス管の延長上に設置されているティーの分岐口を塞ぐプラグの内側にアンテナを構成し、プラグを取り付けた状態においてアンテナをティー内に位置させることを特徴とする請求項１〜７までのいずれか１項に記載の壁、床の工事における可撓ガス管の損傷検査方法
【請求項９】
可撓ガス管の延長上に設置されている可撓ガス管用ソケットのねじ部に螺合可能なプラグの内側にアンテナを構成し、プラグを取り付けた状態においてアンテナをソケット内に位置させることを特徴とする請求項１〜８までのいずれか１項に記載の壁、床の工事における可撓ガス管の損傷検査方法
【発明の詳細な説明】
【０００１】
【発明の属する技術分野】
本発明は壁、床の工事における釘等による可撓ガス管の損傷を検査する方法に関するものである。
【０００２】
【従来の技術】
壁や床の工事において釘等の先端が尖っている部材を打った場合、この釘が壁や床の内部に設置している可撓ガス管に刺さり、孔を開けてしまうことがある。
【０００３】
このような可撓ガス管の損傷を工事後に検出するための従来の検査方法としては、ａ．可撓ガス管にガスを流し、漏洩するガスを作業員が臭いにより検出したり、ガス検知装置により検出したりする方法や、ｂ．可撓ガス管内にファイバーカメラを挿入して確認する方法等がある。
【０００４】
【発明が解決しようとする課題】
ａの方法のように、漏洩するガスにより損傷を検出する方法では、時間と労力がかかり、しかも確実な検出を行うことはできない。またガスの漏洩を検出できたとしても、損傷位置を正確に特定することは困難であり、最終的に確認するためには壁や床を取り外さなければならなかった。
ｂの方法のようにカメラを挿入するものでは、検査できる距離に限界があると共に、配管系の構成等にも制限を受けてしまう。
本発明は、このような課題を解決することを目的とするものである。
【０００５】
【課題を解決するための手段】
上述した課題を解決するために、まず本発明では、壁、床の内部に設置した可撓ガス管に、その延長上の適所に取り付けた送信装置のアンテナにより電磁波を放射して可撓ガス管内を伝播させると共に、壁、床に打たれた釘に受信装置のアンテナを向けて電磁波を探査し、可撓ガス管からの漏洩電磁波により損傷を検出することを提案する。
【０００６】
次に、本発明では、壁、床の内部に設置した可撓ガス管に、その延長上の適所に取り付けた送信装置のアンテナにより電磁波を放射して可撓ガス管内を伝播させると共に、壁、床に打たれた釘に受信装置のプローブを接触させて電磁波を探査し、可撓ガス管からの漏洩電磁波により損傷を検出することを提案する。
【０００７】
また本発明では、壁、床の内部に設置した可撓ガス管に、その延長上の適所に取り付けた送信装置のアンテナにより電磁波を放射して可撓ガス管内を伝播させると共に、壁、床に打たれた釘に受信装置のアンテナを向けて電磁波を探査し、受信装置により電磁波を検出した際、そのアンテナの指向方向の釘にプローブを接触させて電磁波を探査し、可撓ガス管からの漏洩電磁波により損傷を検出することを提案する。
【０００８】
また本発明では、壁、床の内部に設置した可撓ガス管の延長上の適所に受信装置のアンテナを取り付けると共に、送信装置のアンテナを壁、床に打たれた釘に向けて電磁波を放射し、この際に可撓ガス管内を伝播する電磁波を受信装置により監視し、可撓ガス管内に外部から入射した電磁波により損傷を検出することを提案する。
【０００９】
また本発明では、上記の構成において送信装置により放射する電磁波を経時的に変化させることを提案する。
【００１０】
また本発明では、上記の構成において送信装置により放射する電磁波を所望の信号で変調することを提案する。
【００１１】
また本発明では、上記の構成において送信装置による電磁波の放射をＯＮ−ＯＦＦさせると共に、受信装置による電磁波の検出をＯＮ時点とＯＦＦ時点の両方の時点で行い、ＯＦＦ時点の受信信号をＯＮ時点の受信信号と比較して、送信装置からの電磁波を識別することを提案する。
【００１２】
また本発明では、上記の構成において可撓ガス管の延長上に設置されているティーの試験孔を塞ぐプラグの内側にアンテナを構成し、プラグを取り付けた状態においてアンテナをティー内に位置させることを提案する。
【００１３】
また本発明では、上記の構成において可撓ガス管の延長上に設置されている可撓ガス管用ソケットのねじ部に螺合可能なプラグの内側にアンテナを構成し、プラグを取り付けた状態においてアンテナをティー内に位置させることを提案する。
【００１４】
以上の構成において、可撓ガス管を含め、金属製のガス管は、円形導波管と同様な態様で電磁波を伝播させることができる。そして電磁波は、可撓ガス管の延長上の適所に取り付けた送信装置のアンテナから放射して伝播させることができる。
【００１５】
可撓ガス管に釘が刺さって、先端が外側の樹脂被覆から金属製の管本体を突き抜けて内部に至り、釘と、管本体に開いた孔との間に樹脂被覆が介在しているような状態では、釘は、可撓ガス管内を伝播している電磁波に対してアンテナとして作用するので、この部分から電磁波が漏洩する。従ってこのように可撓ガス管から漏洩する電磁波を検出することにより、釘による可撓ガス管の損傷を検出することができる。
【００１６】
漏洩する電磁波は、アンテナでは比較的広い範囲の検出を行うことができ、またプローブでは釘毎に検出を行うことができる。漏洩する電磁波の探査は、これらのいずれか一方のみにて行うことができるが、この他、まずアンテナで比較的広い範囲での電磁波の探査を行い、漏洩する電磁波を検出した際に、アンテナによる探査範囲内の釘毎にプローブにて探査を行うようにすることもでき、この場合にはアンテナを用いた探査により、プローブによる探査範囲を狭めて、可撓ガス管を損傷した釘の特定を行うことができる。
【００１７】
一方、上述したように可撓ガス管に刺さっている釘はアンテナとして作用するので、可撓ガス管の外部から釘の部分に電磁波を放射すると、電磁波は可撓ガス管内に入射して伝播する。従って、このように外部から可撓ガス管内に入射した電磁波を検出することによっても、釘による可撓ガス管の損傷を検出することができる。
【００１８】
電磁波の周波数を経時的に変化させるものとすると、ある時点の、ある周波数において、釘による損傷個所からの漏洩がしにくく、従って損傷個所の検出が困難となる電磁界分布が生じても、次の時点の異なった周波数においては電磁界分布が変化して、損傷個所からの電磁波が漏洩するようになるため、損傷個所の検出が可能となる。
【００１９】
電磁波を音声又は画像等の所望の信号で変調するものとすると、受信装置で受信した電磁波が送信装置から送信したものであるか、ノイズであるかの識別が容易となる。
【００２０】
送信装置による電磁波の送信をＯＮ−ＯＦＦさせると共に、受信装置による電磁波の検出をＯＮ時点とＯＦＦ時点の両方の時点で行い、ＯＦＦ時点の受信信号をＯＮ時点の受信信号と比較するものとすると、ＯＮ時点にのみ受信される送信装置からの電磁波を、いずれの時点でも受信されるノイズと識別することができる。
【００２１】
【発明の実施の形態】
次に本発明の実施の形態を添付図面を参照して説明する。
図１は本発明の方法の第１の実施形態の構成及び動作を模式的に示すものである。符号１は家屋２等の外壁３と内壁４間の空間部に設置されている可撓ガス管であり、この可撓ガス管１は例えば外側に樹脂被覆を施した金属製可撓管等である。
【００２２】
図３は、図１において模式的に示されている可撓ガス管１の上流側の構成例を具体的に示すもので、この例では、家屋２等の内側からの可撓ガス管１の上流側の延長上に片ねじソケット５を介して、試験孔と称されるティー６が接続されており、このティー６の上流側には鋼製ガス管７が接続され、その上流側にガスメーター８が設置されている。
【００２３】
再び、図１にもどって説明すると、可撓ガス管１は内壁４の工事等において釘９を打ち付けた場合に、たまたま位置が合ってしまうと、釘９の先鋭な先端部が刺さる可能性があるものである。そこで工事後には以下に示すような損傷検査を行う。
【００２４】
損傷検査においては、まず可撓ガス管１の延長上の適所に送信装置１０のアンテナ１１を取り付ける。図１の例では、アンテナ１１は可撓ガス管１の延長上の鋼製ガス管７に設けられているティー６の個所に取り付けており、このティー６は図３にも示されるものである。即ち、この例のアンテナ１１は、ティー６の分岐口１２を塞ぐプラグ１３の内側に構成している。
【００２５】
図４はアンテナ１１の取付個所の近傍を拡大して示すもので、図１の要素と対応する要素には同一の符号を付している。まずプラグ１３は筒状に形成され、分岐口１２の雌ねじ部１４ａに螺合する雄ねじ部１４ｂを外側に形成すると共に、筒状のロックナット１５の雄ねじ部１６ｂを螺合する雌ねじ部１６ａを内側に形成している。ロックナット１５には同軸ケーブル１７の先端を挿通させ、中心リード１８を突出させると共に、シールド線１９の編組をクランプ２０に沿って拡げ、ロックナット１５の先端側にワッシャ２１、ガスケット２２を介装し、ロックナット１５を螺合により締め付けることにより、拡げたシールド線１９をプラグ１３の内壁に圧接して取付け状態とする。一方、中心リード１８の先端側には直線形状のプロ−ブ２３を接合しており、このプロ−ブ２３は絶縁体２４によりプラグ１３の中心位置に支持している。一方、プラグ１３の外側端部には鍔部２５を形成しており、鍔部２５と分岐口１２の端部間にＯリング状の電波シールド材２６を装着可能としている。
【００２６】
以上の構成において、送信装置１０から同軸ケーブル１７により電磁波を供給すると、プロ−ブ２３による電界に対応するモードの電磁波がティー６内に励振され、鋼製ガス管７に円形導波管と同様なモードで電磁波を伝播させることができる。図の場合には、鋼製ガス管７にはＴＭ０１のモードの電磁界が形成されて伝播する。
【００２７】
このようにしてティー６において励振された電磁波は、ティー６から鋼製ガス管７を経て可撓ガス管１へと伝播する。このように電磁波を可撓ガス管１に伝播させている状態において、内壁４に打たれている釘９に受信装置２７のアンテナ２８を向けて電磁波の探査を行う。
【００２８】
可撓ガス管１に釘９が刺さって、その先端が外側の樹脂被覆から金属製の管本体を突き抜けて内部に至り、釘９と管本体に開いた孔との間に樹脂被覆が介在しているような状態では、釘９は、可撓ガス管１内を伝播している電磁波に対してアンテナとして作用するので、釘９から電磁波が漏洩する。
【００２９】
従って受信装置２７のアンテナ２８を適宜移動させたり、指向方向を変えたりしながら、釘９から漏洩する電磁波を探査し、受信することにより、釘９による可撓ガス管１の損傷を検出することができる。
【００３０】
ティー６に送信装置１０のアンテナ１１を取り付ける上述した構成では、プラグ１３に代えてループ（図示省略）をティー６内に突出させてアンテナを構成することもできる。また送信装置１０のアンテナ１１は、ティーの他、例えば上述した図３の構成における片ねじソケット５を外して、ここに図４の構成と同様に、プロ−ブ等を設けたプラグを螺合してアンテナを構成する等、適宜の個所に適宜の構成でアンテナを構成することができる。
【００３１】
図２は釘９から漏洩する電磁波の検出を、受信装置２７のアンテナ２８に代えて、受信装置２７に接続したプロ−ブ２９により行うものである。即ち、漏洩する電磁波は、アンテナ２８では比較的広い範囲の検出を行うことができるのに対して、プロ−ブ２９では釘９毎に検出を行うことができる。釘９から漏洩する電磁波の探査はアンテナ２８及びプロ−ブ２９のいずれか一方のみにて行うことができるが、これらを組み合わせて行うこともできる。
【００３２】
例えば、アンテナ２８で比較的広い範囲での電磁波の探査を行い、漏洩する電磁波を検出した際に、アンテナ２８による探査範囲内の釘９毎にプロ−ブ２９にて探査を行うようにすることもでき、このような方法では、アンテナ２８による探査により、プロ−ブ２９で行うべき探査範囲を狭めて、可撓ガス管１を損傷した釘９の特定を効率的に行うことができる。
【００３３】
上述したように可撓ガス管１に刺さっている釘９はアンテナとして作用するので、可撓ガス管１の外部から釘９の部分に電磁波を放射すると、電磁波は可撓ガス管１内に入射して伝播する。従って図１の構成において、ティー６に取り付けたアンテナ１１に受信装置を接続して受信アンテナとして動作させると共に、アンテナ２８には送信装置を接続して送信アンテナとして動作させれば、送信アンテナを向けた釘９から入射して可撓ガス管１内を伝播する電磁波を受信アンテナを介して受信装置により検出することにより、釘９による可撓ガス管１の損傷を検出することができる。
【００３４】
以上の損傷検査において、電磁波の伝送路としての可撓ガス管１の位置や使用する電磁波の周波数によっては、可撓ガス管１を損傷した釘９からの電磁波の漏洩がしにくいように管内の電磁界分布が形成される場合がある。
【００３５】
このような際には、送信装置から送信アンテナを介して可撓ガス管１内に伝播させる電磁波の周波数を経時的に変化させると、ある時点の、ある周波数においては漏洩個所からの漏洩がしにくい電磁界分布が生じても、次の時点の、異なった周波数においては電磁界分布が変化して、当該個所から電磁波を漏洩させるようにすることができる。
【００３６】
また以上の損傷検査において、受信装置の受信アンテナには、釘９から漏洩する電磁波の他、種々の外来ノイズが入って来るため、受信装置で、ある電磁波を受信している場合に、それが漏洩した電磁波であるか、ノイズであるかを識別できれば損傷個所の検出の確実性が向上する。このような方法を次に説明する。
【００３７】
まず第１の方法は、送信装置の送信アンテナにより放射する電磁波を所望の信号で変調する方法である。所望の信号は、例えば音声や画像等のように人が識別可能な信号とすれば、受信装置により受信した電磁波が所定の音声や画像を含むか否かを人が判断することにより、漏洩電磁波とノイズを識別することができる。
【００３８】
また第２の方法は、送信装置による電磁波の放射をＯＮ−ＯＦＦさせると共に、受信装置による電磁波の検出をＯＮ時点とＯＦＦ時点の両方の時点で行い、ＯＦＦ時点の受信信号をＯＮ時点の受信信号と比較して、送信装置からの電磁波を識別する方法である。この方法を適用すると、受信装置で、ある電磁波を受信している際に、送信装置による電磁波の放射を停止すると、受信している電磁波が送信装置からの電磁波を含む場合には図５（ａ）に示すように、受信レベルが低下するが、受信している電磁波が外来ノイズである場合には図５（ｂ）に示すように受信レベルの低下がないので、このような観点からＯＮ時とＯＦＦ時の受信信号を比較することにより、漏洩による電磁波とノイズを識別することができる。
【００３９】
受信装置では、少なくともＯＮ時点とＯＦＦ時点がわかれば良いので、電磁波のＯＮ−ＯＦＦは、受信装置側で操作して行うこともできるし、送信装置側でＯＮ−ＯＦＦ操作を行って、その操作信号を受信装置側に伝送するようにすることができる。
【００４０】
【発明の効果】
本発明は以上のとおりであるので、次のような効果がある。
ａ．壁、床の工事における釘等による可撓ガス管の損傷の検査を、壁、床を壊さずに行うことができる。
ｂ．従って短時間で容易に損傷の検査が可能である。
ｃ．配管系の構成による制限が少ない。
ｄ．活管、死管のどちらでも検査が可能である。
【図面の簡単な説明】
【図１】本発明の方法を適用した第１実施例の全体構成の模式図である。
【図２】本発明の方法を適用した第２実施例の要部断面図である。
【図３】本発明においてアンテナを設置する個所を例示するための可撓ガス管の上流側の配管系の一例を示す説明図である。
【図４】本発明におけるアンテナの設置の実施例を示す断面図である。
【図５】電磁波のＯＮ−ＯＦＦにより漏洩電磁波とノイズを識別する動作原理を示す説明図である。
【符号の説明】
１                    可撓ガス管
２                    家屋
３                    外壁
４                    内壁
５                    片ねじソケット
６                    ティー
７                    鋼製ガス管
８                    ガスメーター
９                    釘
１０                  送信装置
１１                  アンテナ
１２                  分岐口
１３                  プラグ
１４ａ                雌ねじ部
１４ｂ                雄ねじ部
１５                  ロックナット
１６ａ                雌ねじ部
１６ｂ                雄ねじ部
１７                  同軸ケーブル
１８                  中心リード
１９                  シールド線
２０                  クランプ
２１                  ワッシャ
２２                  ガスケット
２３                  プロ−ブ
２４                  絶縁体
２５                  鍔部
２６                  電波シールド材
２７                  受信装置
２８                  アンテナ
２９                  プロ−ブ
【図１】
0003603973.tif 000002
【図２】
0003603973.tif 000003
【図３】
0003603973.tif 000004
【図４】
0003603973.tif 000005
【図５】
0003603973.tif 000006